(57)【特許請求の範囲】
【請求項１】
セメントを主原料として成形された建築外装パネルの外側に緑化容器を配置し、該容器内の土壌に植栽された植物によって建築物の外壁面を緑化する壁面緑化構造において、
前記容器は、セメントを主原料として成形され且つ前記外壁面と平行に延びる水平な頂部開口形容器からなり、該容器は、内側壁、外側壁及び底壁を有し、前記外装パネルの外壁面に面する前記内側壁の外面は、前記外壁面に面接触又は多点接触する平坦な垂直面であり、
前記内側壁は、両端部にボルト穴を有し、該ボルト穴は、前記外装パネルを建築物の鋼構造骨組に取付けるために該外装パネルに穿設されたボルト穴と整列し、
ボルトが、前記内側壁及び前記外装パネルのボルト穴に挿通され、該ボルトの締付け力によって前記内側壁及び前記外装パネルを前記鋼構造骨組に係止又は係留するとともに、前記内側壁を前記外壁面に押圧し、前記内側壁の外面を前記外壁面に密着せしめることを特徴とする壁面緑化構造。
【請求項２】
前記緑化容器内には、前記土壌を収容し且つ前記植物を植栽した植栽容器が収容され、前記緑化容器の底壁には、隆起部分が設けられ、該隆起部分には、前記底壁上に滞留した水又は液のオーバーフロー手段を構成する垂直貫通孔が形成されることを特徴とする請求項１に記載の壁面緑化構造。
【請求項３】
前記緑化容器内には、前記土壌を収容し且つ前記植物を予め植栽した植栽容器が収容され、該植栽容器は、植物の蔦又はつるが登攀し又は垂下するための線材を張設した垂直登攀パネルを有することを特徴とする請求項１又は２のいずれか１項に記載の壁面緑化構造。
【請求項４】
植物の蔦又はつるが登攀し又は垂下するための線材及び／又はネットを上下の前記緑化容器の間に張設したことを特徴とする請求項１又は２のいずれか１項に記載の壁面緑化構造。
【請求項５】
前記緑化容器は、Ｕ字形の本体部分と、該本体部分の両端面を閉塞する端壁とから構成され、各端壁は、前記本体部分を軸方向に貫通する補強鋼材によって該本体部分の端面に固定されることを特徴とする請求項１乃至４のいずれか１項に記載の壁面緑化構造。
【請求項６】
前記本体部分に予圧縮力を与える初期張力が前記補強鋼材に加えられることを特徴とする請求項５に記載の壁面緑化構造。
【請求項７】
前記緑化容器の曲げ変形に抗する初期的な軸方向圧縮力を前記緑化容器に導入するプレストレス導入手段を有することを特徴とする請求項１乃至４のいずれか１項に記載の壁面緑化構造。
【発明の詳細な説明】
【技術分野】
【０００１】
本発明は、外装パネルの壁面緑化構造に関するものであり、より詳細には、セメントを主原料として成形された建築外装パネルの外側に緑化容器を配置し、該容器内の土壌に植栽された植物によって建築物の外壁面を緑化する壁面緑化構造に関するものである。
【背景技術】
【０００２】
建築物等の壁面緑化及び屋上緑化が、ヒートアイランド現象緩和、美観向上、環境負荷軽減等の観点より、近年殊に、注目されている。壁面緑化方法として、付着根を有するつる植物を自立登攀させて壁面を覆う登攀式壁面緑化法、屋上、ベランダ等に設置したプランターから植物を垂らして壁面を緑化する垂下式壁面緑化法、ワイヤー等の補助材を用いてつる植物を登攀又は下垂させて壁面を緑化する補助材式壁面緑化法（特開2004-267084号公報）、つる植物を誘引・巻付け可能なユニットを用いたユニット式壁面緑化法（特開2004-254565号公報）、更には、壁面緑化専用の植栽済み緑化パネルを用いて壁面を早期に緑化する立体基盤式壁面緑化法（特開2003-155714号公報、特開2001-169658号公報）等が知られている。
【０００３】
他方、建築物の外壁として、セメントを主原料として成形されたＡＬＣ（軽量気泡コンクリート）パネル、押し出し成形板等のセメント系外装パネルが知られている。この種のセメント系外装パネル（以下、「外装パネル」という。）は、建築物の鋼構造骨組を構成する鋼構造の柱、間柱、梁、胴縁等に係止又は係留される。一般に、建築物の鋼構造骨組は地震時の層間変位等によって挙動又は変位するので、ＡＬＣパネル等の外装パネルを柱、梁等に係止又は係留する係止・係留具又は係止・係留手段は、このような柱、梁等の挙動又は変位に対する外装パネルの追従性を確保し得る構造を有する。
【０００４】
このような外装パネルの外壁面を緑化する壁面緑化構造として、壁面と平行な緑化パネルをＡＬＣパネルの外側に全面的に取付ける壁面緑化構造が特開2006-112129号公報に記載されている。緑化パネルは、灌水等による壁面の湿潤状態や、壁面の汚れ等を回避すべく、間隔保持部材を介してＡＬＣパネルの外面に取付けられており、離間した緑化パネルとＡＬＣパネルとの間には、所定寸法の間隙が形成される。
【０００５】
また、土壌及び植物を収容可能な植栽用ポットを一体的に外側に突出せしめた構造の緑化パネルが、例えば、特開2008-29322号公報に記載されている。この緑化パネルも又、外壁の外側に全面的に取付けられるとともに、灌水等のために外壁面から間隔を隔てて配置されており、離間した緑化パネルと外壁面との間には、所定寸法の間隙が形成される。
【先行技術文献】
【特許文献】
【０００６】
【特許文献１】特開2004-267084号公報
【特許文献２】特開2004-254565号公報
【特許文献３】特開2003-155714号公報
【特許文献４】特開2001-169658号公報
【特許文献５】特開2006-112129号公報
【特許文献６】特開2008-29322号公報
【発明の概要】
【発明が解決しようとする課題】
【０００７】
しかしながら、外装パネルの外壁面を緑化する従来の緑化パネル（特許文献５、６）は、外壁面から間隔を隔てて配置されることから、外装パネルの表面処理（目地シーリング、塗装等）を行った後に外壁面に取付ける必要があり、従って、外装パネル工事とは別の工程及び職種によって緑化パネルを施工する必要が生じる。仮に同一職種の作業者が外装パネル及び緑化パネルを施工する場合であっても、作業者は、塗装や、目地シール等の外装パネル表面処理工程が完了するまでの期間、作業を中断しなければならない。
【０００８】
また、多くの外装パネルの幅寸法は、600mm程度であるため、地震時等の建築構造体の挙動又は変位に対する各外装パネルの追従性を確保するには、緑化パネルを600mm毎に分割しなければならない。
【０００９】
これに対し、プランタ又はポット等をＡＬＣアンカー等の係止具又は係留具によって各外装パネルに直に留付ける壁面緑化構造を想定し得るが、プランタ又はポット内の土壌及び水分の重量は、比較的大きな局所荷重として係止具又は係留具に作用する。このため、このような局所荷重によって外装パネルが破損し又は損傷することが懸念される。
【００１０】
また、比較的高剛性の鋼製ブラケットを建築物の鋼構造骨組に固定し、鋼製ブラケットを外装パネルの目地部分から外壁面の外側に突出させ、鋼製ブラケットによってプランタ又はポット等を外壁面に支持する壁面緑化構造をも想定し得る。しかし、このようなブラケットの施工は、極めて煩雑な作業を伴い、しかも、鋼製ブラケットの耐候性確保及び耐久性確保や、目地部分の防水処理等の課題が残される。
【００１１】
本発明は、このような事情に鑑みてなされたものであり、その目的とするところは、外装パネルに対するプランタの直接的な固定や、プランタを支持する付加的な鋼製ブラケットの設置等を要することなく、プランタを外装パネルの外面に設置することができ、しかも、外装パネル及びプランタを同一工程において施工し、外装パネル及びプランタを同時に表面処理することができる壁面緑化構造を提供することにある。
【課題を解決するための手段】
【００１２】
上記目的を達成すべく、本発明は、セメントを主原料として成形された建築外装パネルの外側に緑化容器を配置し、該容器内の土壌に植栽された植物によって建築物の外壁面を緑化する壁面緑化構造において、
前記容器は、セメントを主原料として成形され且つ前記外壁面と平行に延びる水平な頂部開口形容器からなり、該容器は、内側壁、外側壁及び底壁を有し、前記外装パネルの外壁面に面する前記内側壁の外面は、前記外壁面に面接触又は多点接触する平坦な垂直面であり、
前記内側壁は、両端部にボルト穴を有し、該ボルト穴は、前記外装パネルを建築物の鋼構造骨組に取付けるために該外装パネルに穿設されたボルト穴と整列し、
ボルトが、前記内側壁及び前記外装パネルのボルト穴に挿通され、該ボルトの締付け力によって前記内側壁及び前記外装パネルを前記鋼構造骨組に係止又は係留するとともに、前記内側壁を前記外壁面に押圧し、前記内側壁の外面を前記外壁面に密着せしめることを特徴とする壁面緑化構造を提供する。
【００１３】
本発明の上記構成によれば、外装パネル及び緑化容器は、整列したボルト孔を有し、同一のボルトによって建築物の鋼構造骨組に係止又は係留される。容器の内側壁は、ボルトの締付け力によって外装パネルの外壁面に押圧され、内側壁の外面（垂直面）は、ボルトの締付け力によって垂直な外壁面に密着する。容器は、外壁と一体化し、容器の表面は、外壁面の一部を構成する。このため、外壁面に対する容器の設置は、外装パネルの建込み工程において完了し、後続の外壁面塗装工程において外壁面及び容器表面を同時に表面処理することができる。しかも、このような壁面緑化構造によれば、外装パネルに対する直接的なプランタの固定又は留付けや、プランタを支持する付加的な鋼製ブラケットの設置等を要しない。
【発明の効果】
【００１４】
本発明の壁面緑化構造によれば、外装パネルに対するプランタの直接的な固定や、プランタを支持する付加的な鋼製ブラケットの設置等を要することなく、プランタを外装パネルの外面に設置することができ、しかも、外装パネル及びプランタを同一工程において施工し、外装パネル及びプランタを同時に表面処理することができる。
【図面の簡単な説明】
【００１５】
【図１】図１は、本発明の壁面緑化構造を示す縦断面図である。
【図２】図２は、図１に示す壁面緑化構造の横断面図である。
【図３】図３は、図１及び図２に示す壁面緑化構造の正面図である。
【図４】図４は、一次プランタの構造を示す分解斜視図である。
【図５】図５は、一次プランタの取付方法を示す斜視図であり、ＡＬＣパネルの建込み工程が示されている。
【図６】図６は、一次プランタの取付方法を示す斜視図であり、ＡＬＣパネルのシーリング処理工程が示されている。
【図７】図７は、一次プランタの取付方法を示す斜視図であり、ＡＬＣパネルの塗装工程が示されている。
【図８】図８は、二次プランタの設置工程を示す斜視図である。
【図９】図９は、壁面緑化後の壁面を示す斜視図である。
【図１０】図１０は、壁面緑化構造の変形例を示す斜視図である。
【図１１】図１１は、壁面緑化構造の更なる変形例を示す斜視図である。
【発明を実施するための形態】
【００１６】
本発明の好適な実施形態によれば、上記緑化容器内には、土壌を収容し且つ植物を植栽した植栽容器が収容され、緑化容器の底壁には、隆起部分が設けられる。隆起部分には、緑化容器の底壁上に滞留した水又は液のオーバーフロー手段を構成する垂直貫通孔が形成される。
【００１７】
本発明の或る実施形態において、上記植栽容器は、植物の蔦又はつるが登攀し又は垂下するための線材を張設した垂直登攀パネルを有する。
【００１８】
本発明の他の実施形態において、植物の蔦又はつるが登攀し又は垂下するための線材及び／又はネットが上下の緑化容器の間に張設される。
【００１９】
好ましくは、緑化容器は、Ｕ字形の本体部分と、本体部分の両端面を閉塞する端壁とから構成され、各端壁は、本体部分を軸方向に貫通する補強鋼材によって本体部分の端面に固定される。補強鋼材には、本体部分に予圧縮力を与えるための初期張力が加えられる。補強鋼材は、初期的な軸方向圧縮力を緑化容器の本体部分に導入するプレストレス導入手段を構成する。
【実施例１】
【００２０】
以下、添付図面を参照して、本発明の好適な実施例について詳細に説明する。
【００２１】
図１、図２及び図３は、本発明の壁面緑化構造を示す縦断面図、横断面図及び正面図である。
【００２２】
図１〜図３に示す外壁Ｗは、ＡＬＣパネル１を横壁ボルト止め構法により横張りに施工した構造を有する。ＡＬＣパネル１は、セメント、石灰質原料及びけい酸質原料を主原料とし、高温高圧蒸気養生された軽量気泡コンクリートの成形形品であり、所定鉄筋量の補強筋（図示せず）が埋め込まれている。建築物の鋼構造骨組を構成する鋼製柱Ｃには、ピースアングルＰ及び定規アングルＱを介して胴縁３及び支持金具４が一体的に支持されている。ＡＬＣパネル１の自重は、胴縁３によって支持され、風圧等の外力は、支持金具４を介して柱Ｃに伝達する。支持金具４は、各ＡＬＣパネル１の高さ方向中心部に配置される。例えば、リブ付きイナズマプレートが支持金具４として使用される。支持金具４のボルト穴５と整列する水平貫通穴６が、ＡＬＣパネル１の高さ方向中心位置に穿設される。
【００２３】
水平貫通穴６と整列する水平貫通穴１６を穿設した一次プランタ１０がＡＬＣパネル１の外壁面に配置される。一次プランタ１０は、ＡＬＣパネル１の概ね全長に亘って水平に延びる頂部開口形容器からなり、建築物の外壁面を緑化するための緑化容器を構成する。一次プランタ１０は、ＡＬＣパネル１と同じく、セメント、石灰質原料及びけい酸質原料を主原料とし、高温高圧蒸気養生された軽量気泡コンクリートの成形形品であり、内側壁１１、外側壁１２及び底壁１３を有する。なお、ＡＬＣパネル１と同じく、所定鉄筋量の補強筋（図示せず）が一次プランタ１０内に埋め込まれている。
【００２４】
土壌Ｓを収容した二次プランタ２０が、一次プランタ１０内に配置される。土壌Ｓには、植物（図示せず）が予め植栽されている。二次プランタ２０は、樹脂製、ＧＲＣ製等の植栽容器からなり、脚部（図示せず）によって一次プランタ１０の底壁１３から間隔を隔てて一次プランタ１０内に収容される。
【００２５】
一次プランタ１０の底壁１３には、長手方向に延びる隆起部１５が形成される。隆起部１５の両側には、二次プランタ２０の水抜き穴２１から落下した灌水又は液肥が滞留する液溜Ｌが形成される。液溜Ｌに滞留した灌水又は液肥のオーバーフロー手段を構成する水抜き穴１４が、所定間隔を隔てて隆起部１５に配置される。水抜き穴１４は、隆起部１５を垂直に貫通する。
【００２６】
連結ボルト３０の軸部が、水平貫通穴６、１６及びボルト穴５を貫通し、ナット３１が、連結ボルト３０の先端部に螺着する。ＡＬＣパネル１及び一次プランタ１０は、連結ボルト３０及びナット３１の締付けにより、支持金具４に対して固定される。内側壁１１の外面１１ａは、連結ボルト３０及びナット３１の締付け力によってＡＬＣパネル１の外壁面１ａに押圧され、外壁面１ａに密着する。軽量気泡コンクリートの表面は微細な凹凸又は不陸を多数有するので、ＡＬＣパネル１及び内側壁１１の接触は、厳密には多点接触であるが、実質的には面接触である。
【００２７】
シーリング材ＳがＡＬＣパネル１の縦目地及び横目地に充填されるとともに、シーリング材４０が一次プランタ１０の外周部に塗着又は充填される。シーリング材４０は、一次プランタ１０とＡＬＣパネル１との接触面に雨水等が進入するのを防止する。ＡＬＣパネル１及び一次プランタ１０の露出面には、塗装が施され、ＡＬＣパネル１及び一次プランタ１０の露出面全域に塗膜４１が形成される。塗装は、合成樹脂塗料の吹付け仕上げ、ローラー仕上げ等によって一般に行われる。ＡＬＣパネル１と同質素材からなり且つＡＬＣパネル１と一体化した一次プランタ１０は、外壁面１ａの一部又は突出部として同時且つ連続的に塗装することができる。
【００２８】
最上段の一次プランタ１０には、灌水ホースＨが設けられる。灌水ホースＨは、二次プランタ２０の植物及び土壌Ｓの上方に配置され、灌水ホースＨが供給した水又は液肥は、二次プランタ２０の植物及び土壌Ｓに供給されるとともに、二次プランタ２０の水抜き穴２１から液溜Ｌに落下する。液溜Ｌに溜まった水又は液肥の余剰分は、水抜き穴１４から液滴Ｄとして落下し、下方の二次プランタ２０の植物及び土壌Ｓに供給される。このため、灌水ホースＨを最上段の一次プランタ１０に対して配設することにより、下方の二次プランタ２０の植物及び土壌Ｓに対して水又は液肥を供給することができる。
【００２９】
一次プランタ１０、二次プランタ２０及び土壌Ｓの重量（総重量）は１００kg程度に達するので、一次プランタ１０の曲げモーメント及び剪断力に起因する比較的大きな圧縮力及び剪断力が、一次プランタ１０の支受面又は支受部、即ち、ＡＬＣパネル１及び連結ボルト３０に働く。圧縮力は、ＡＬＣパネル１の外壁面１ａに面圧として作用し、ＡＬＣパネル１によって支持され、剪断力は、連結ボルト３０に作用し、連結ボルト３０によって支持される。好ましくは、連結ボルト３０は、少なくとも１０mmの直径を有する。
【００３０】
ＡＬＣパネル１を支持する連結ボルト３０は、建築物の柱Ｃの位置に配置されており、従って、ＡＬＣパネル１は、その両端部が連結ボルト３０によって支持されるにすぎない。このため、連結ボルト３０を使用して外壁面に取付けられる一次プランタ１０も又、柱Ｃの間隔に相当する支持間隔で支持され、従って、一次プランタ１０の両端部が柱Ｃによって支持されるにすぎない。即ち、一次プランタ１０の支持間隔は、柱Ｃの柱間隔（柱のスパン）に相応し、柱間隔が約３ｍに設定された建築物においては、一次プランタ１０の支持間隔は約３ｍである。  
【００３１】
図４は、一次プランタ１０の構造を示す分解斜視図である。
【００３２】
一次プランタ１０は、Ｕ字形断面の本体部分１０ａと、本体部分１０ａの両端部を閉鎖する端壁１７とから構成される。本体部分１０ａは、上下左右の四隅に穿設された水平貫通孔（図示せず）を有し、水平貫通孔は、一次プランタ１０の軸方向に延びる。各水平貫通孔には、補強鋼材１８が挿通される。各補強鋼材１８は、プレストレスを導入可能な棒鋼からなる。各補強鋼材１８の端部が本体部分１０ａの端面から外方に突出する。各補強鋼材１８の端部には、ナット１９が螺着可能な外螺子が形成されている。端壁１７、補強鋼材１８及びナット１９は、一次プランタ１０の曲げ変形に抗する初期的な軸方向圧縮力、即ち、予圧縮力を本体部分１０ａに導入するプレストレス導入手段を構成する。
【００３３】
端壁１７は、本体部分１０ａの端面１０ｂと同一の外形輪郭を有する板体であり、補強鋼材１８の端部が貫通可能な貫通孔１７ａが、上下左右の四隅に穿設されている。端壁１７は、本体部分１０ａの端面１０ｂに装着され、端面１０ｂに面接触する。ナット１９が補強鋼材１８の端部に螺着され、補強鋼材１８の外螺子に対して締付けられ、この結果、端壁１７は、本体部分１０ａと一体化する。所望により、ナット１９を全体的又は部分的に収容可能な凹所（図示せず）が、端壁１７の外側面に形成される。
【００３４】
ナット１９の初期締付け力（初期締付けトルク）は、一次プランタ１０の曲げ変形に抗する予圧縮力（プレストレス）として本体部分１０ａに作用する。本体部分１０ａには、その自重及び積載荷重に起因する曲げ応力が作用するが、本体部分１０ａの予圧縮力は、曲げ応力（引張応力）を打ち消すように作用する。従って、一次プランタ１０の支持間隔を拡大し、或いは、一次プランタ１０の自重及び積載荷重を増大することが可能となる。
【００３５】
図５〜図９は、一次プランタ１０の取付方法を示す斜視図である。
【００３６】
図５に示すように、一対の定規アングルＱは、ピースアングルＰを介して建築物の柱Ｃに固定され、各支持金具４は、定規アングルＱに固定される。ＡＬＣパネル１及び一次プランタ１０は、定規アングルＱ及び支持金具４に対して位置決めされ、連結ボルト３０は、水平貫通穴６、１６及びボルト穴５に挿通される。ＡＬＣパネル１及び一次プランタ１０は、連結ボルト３０及びナット３１を締付けることにより、支持金具４に固定される。
【００３７】
図６には、ＡＬＣパネル１及び一次プランタ１０を柱Ｃに取付けた状態が示されている。前述の如く、シーリング材ＳがＡＬＣパネル１の縦目地及び横目地に充填されるとともに、シーリング材４０が一次プランタ１０の外周部に施工される。
【００３８】
図７に斜線で示すように、ＡＬＣパネル１及び一次プランタ１０の露出面全体に塗装仕上げが施され、塗膜４１が、一次プランタ１０の表面を含む壁面全域に形成される。前述の如く、ＡＬＣパネル１と同質素材からなり且つＡＬＣパネル１と一体化した一次プランタ１０は、外壁面の一部又は突出部分として同時且つ連続的に塗装することができる。塗装工程の完了により、一次プランタ１０を一体化したＡＬＣパネル１の外壁Ｗが完成する。
【００３９】
壁面緑化用の植物は、農場等において二次プランタ２０に植栽され、緑化目的の建築物に輸送される。図８に示す如く、土壌Ｓを収容し且つ予め植物を植栽した二次プランタ２０が、一次プランタ１０内に配置される。即ち、二次プランタ２０は、植物を栽培するための栽培用容器として農場等で使用されるとともに、植物を輸送するための輸送容器として使用される。プランタ１０、２０の各部寸法は、所定数（本例では３体）の二次プランタ２０を一次プランタ１０内に適切に収納可能な寸法に設定される。例えば、一次プランタ１０の全長が約3000mmであるとき、約800mmの全長を有する３体の二次プランタ２０が一次プランタ１０内に収納される。
【００４０】
二次プランタ２０を一次プランタ１０内に配置することにより、ＡＬＣパネル１の外壁面全体を緑化してなる緑化壁面が、図９に示す如く完成する。
【００４１】
かくして、上記構成の壁面緑化構造によれば、ＡＬＣパネル１の建込み工程において一次プランタ１０をＡＬＣパネル１の外壁面１ａに一体的に取付け、塗装工程においてＡＬＣパネル１及び一次プランタ１０を同時且つ連続的に塗装することにより、一次プランタ１０を備えた外壁Ｗが完成する。従って、塗装工程後にプランタ又は緑化基盤等の取付け工程を要する従来の施工に比べ、工程を簡素化し且つ工期を短縮するとともに、作業の効率化を図ることができる。
【００４２】
また、上記構成の壁面緑化構造によれば、外壁面の再塗装や、補修等の際、二次プランタ２０の撤去により、ＡＬＣパネル１及び一次プランタ１０を同時に再塗装し、或いは、補修することができ、しかも、撤去した二次プランタ２０を一次プランタ１０内に再配置することにより、緑化壁面を容易に復旧することができる。
【００４３】
更に、上記構成の壁面緑化構造によれば、壁面の植物を交換する場合、新たな植物を植栽した二次プランタ２０を交換すれば良く、従って、壁面の植物を常に良好な状態に維持する上でも有利である。
【００４４】
図１０は、本発明に係る壁面緑化構造の変形例を示す斜視図である。
【００４５】
上記実施例は、各々のＡＬＣパネル１に対して一次プランタ１０を取付け、上下の一次プランタ１０の間隔を約600mmに設定した構成のものであるが、任意のＡＬＣパネル１に対して一次プランタ１０を取付けても良い。
【００４６】
図１０には、一次プランタ１０を一段置きにＡＬＣパネル１に取付けた構成が示されている。上下の一次プランタ１０の間隔は約1200mmである。一次プランタ１０の設置及び塗装は、前述の実施例と実質的に同じ工程により実施される。
【００４７】
図１０に示す二次プランタ２０は、垂直登攀パネル５０を備える。垂直登攀パネル５０は、方形の金属枠内に線材を縦横に張設した構造を有する。各線材は、所定直径（例えば、直径約４〜５mm）の円形断面を有する金属線材からなる。二次プランタ２０は、農場等において予め植物を植栽され、緑化目的の建築物等に輸送される。二次プランタ２０は、植物を栽培するための栽培用容器として農場等で使用されるとともに、植物を輸送するための輸送容器として使用される。二次プランタ２０は、好ましくは、植物の蔦又はつるが垂直登攀パネル５０の正面を登攀した状態まで植物を農場等で生育させた後に緑化目的の建築物に移送される。
【００４８】
垂直登攀パネル５０は、一次プランタ１０を二次プランタ２０内に配置したときに、一次プランタ１０の外側壁１２の外側に位置するように構成される。所望により、垂直登攀パネル５０を上方の一次プランタ１０に固定し又は係留する連結手段（図示せず）が垂直登攀パネル５０及び／又は一次プランタ１０に設けられる。連結手段は、例えば、一次プランタ１０に埋め込まれたナットと、垂直登攀パネル５０に設けられたボルトとから構成される。二次プランタ２０内の土壌Ｓに植栽された植物は、蔦又はつるを垂直登攀パネル５０に伸ばし、垂直登攀パネル５０の正面を登攀し又は垂下するので、外壁面全域を蔦植物又はつる植物によって緑化することができる。
【００４９】
図１１は、本発明に係る壁面緑化構造の更なる変形例を示す斜視図である。
【００５０】
図１１には、一次プランタ１０を三段置き又は四段置きにＡＬＣパネル１に取付けた構成が示されている。上下の一次プランタ１０の間隔は約1800〜2400mmである。一次プランタ１０の設置及び塗装は、前述の実施例と実質的に同じ工程に従って実施される。
【００５１】
上下の一次プランタ１０の間には、垂直登攀ネット６０が張設される。垂直登攀ネット６０は、上下の外側壁１２の間に張設された金属ワイヤ及び樹脂ネットから構成され、外側壁１２の外側に配置される。二次プランタ２０内の土壌Ｓに植栽された植物は、蔦又はつるを垂直登攀ネット６０に伸ばし、垂直登攀ネット６０の正面を登攀し又は垂下するので、外壁面全域を蔦植物又はつる植物によって緑化することができる。
【００５２】
以上、本発明の好適な実施例について詳細に説明したが、本発明は上記実施例に限定されるものではなく、特許請求の範囲に記載された本発明の範囲内で種々の変形又は変更が可能である。
【００５３】
例えば、上記実施例は、ＡＬＣパネルを横張り形態に施工した外壁に一次プランタを取付けた構成のものであるが、ＡＬＣパネルを縦張り形態に施工した縦壁ロッキング工法又は縦壁スライド工法等の外壁に一次プランタを取付けても良い。
【００５４】
また、上記実施例は、ＡＬＣパネルの外壁に本発明の構成を適用した構成のものであるが、押し出し成形板の外壁に対して本発明の構成を適用しても良い。
【００５５】
更には、上記実施例では、土壌を収容した二次プランタを一次プランタ内に収容しているが、土壌を一次プランタ内に直に収容することも可能である。
【産業上の利用可能性】
【００５６】
本発明は、建築物のセメント系外装パネルの外側に緑化容器を配置し、緑化容器内の土壌に植栽された植物によって建築物の外壁面を緑化する壁面緑化構造に適用される。本発明の壁面緑化構造は、ＡＬＣパネル又は押し出し成形板の外壁に緑化容器を設置する上で殊に有利である。本発明の壁面緑化構造によれば、外装パネルに対するプランタの直接的な固定や、プランタを支持する付加的な鋼製ブラケットの設置等を要することなく、プランタを外装パネルの外面に設置することができ、しかも、外壁面に対する緑化容器の設置を外装パネルの取付け工程において完了し、後続の外壁面塗装工程において外壁面及び容器表面を同時且つ連続的に表面処理することができる。また、本発明の壁面緑化構造は、外装パネル工事の職人又は技能者によるプランタの外壁面設置を可能にする。従って、本発明によれば、工程の簡素化、工期の短縮、作業の効率化等を図ることができるので、実用的に極めて有利である。
【符号の説明】
【００５７】
１  パネル
１ａ  外壁面
３  胴縁
４  支持金具
５  ボルト穴
６  水平貫通穴
１０  一次プランタ
１０ａ  端面
１１  内側壁
１１ａ  外面
１２  外側壁
１３  底壁
１４  水抜き穴
１５  隆起部
１６  水平貫通穴
１７  端壁
１８  補強鋼材
１９  ナット
２０  二次プランタ
２１  水抜き穴
３０  連結ボルト
３１  ナット
４０  シーリング材
４１  塗膜
５０  垂直登攀パネル
６０  垂直登攀ネット
Ｃ  柱
Ｈ  灌水ホース
Ｌ  液溜
Ｐ  ピースアングル
Ｑ  定規アングル
Ｓ  土壌
Ｗ  外壁
【図１】
0005663233.tif 000002
【図２】
0005663233.tif 000003
【図３】
0005663233.tif 000004
【図４】
0005663233.tif 000005
【図５】
0005663233.tif 000006
【図６】
0005663233.tif 000007
【図７】
0005663233.tif 000008
【図８】
0005663233.tif 000009
【図９】
0005663233.tif 000010
【図１０】
0005663233.tif 000011
【図１１】
0005663233.tif 000012